(57)【要約】      （修正有）【課題】遠赤外線による暖め効果を有し、しかも比較的短時間で起動が可能な足温器を提供する。【解決手段】採暖面部１と、該採暖面部の裏面に面状ヒーター４を備える足温器において、該採暖面部は遠赤外線の放射性を有する材料を含んでおり、該面状ヒーターはＰＴＣヒーターとする。採暖面部は天然石板またはセラミック板を用いる。採暖面部に載せた足に熱伝導によって熱が伝わることはもちろん、暖められた堆積礫岩天然鉱石の石板から放射される赤外線（特に遠赤外線）によっても熱が伝えられる。赤外線（特に遠赤外線）は比較的波長が長い為に散乱しにくく、足と赤外線の放射面との間に物体が介在しても一部が透過して足を暖める作用が得られる。【選択図】図２
0003125048.tif 000002
【実用新案登録請求の範囲】
【請求項１】
採暖面部と、該採暖面部の裏面に面状ヒーターを備える足温器において、
該採暖面部は遠赤外線の放射性を有する材料を含んでおり、
該面状ヒーターはＰＴＣヒーターである
ことを特徴とする、足温器。
【請求項２】
前記採暖面部には、天然石板を含む
ことを特徴とする、請求項１記載の足温器。
【請求項３】
前記採暖面部には、セラミック板を含む
ことを特徴とする、請求項１記載の足温器。
【考案の詳細な説明】
【技術分野】
【０００１】
本考案は、足温器に関するものである。より詳しくは、上部に平面状の採暖面部を有し、該採暖面部の裏面に面状ヒーターを備え、該面状ヒーターに通電することで該採暖面部が温まり、これに足を載せるなどして暖を採る為に使用される足温器に関する。
【背景技術】
【０００２】
従来より、平面状の採暖面部を有する足温器が実用に供されている。多くの足温器では、採暖面部の裏面にニクロム線等の電熱線を面状に配置し、これに通電することで採暖面部が温まる構造となっている。使用者は、足温器の採暖面部に足を載せて暖を採ることができる。
【０００３】
このような足温器は、主に冬季等の気温の低い時期に補助的な暖房器具として用いられてきた。しかし、近年は夏季のように気温の高い時期においても、冷房によって足先を始めとする体の末端部の冷えを訴える者が増加しており、夏季であっても職場環境の改善の為に使用されるなど需要が増大している。
【０００４】
ところで、従来の足温器の多くは温まった採暖面部と足を接触させ、主に熱伝導によって足を暖める仕組みである。この為、裸足での使用または薄い靴下やストッキング類程度の衣類のみを着用した状態で使用する場合は良いものの、実際には近年の職場は靴を装用したまま業務に従事することが多い。従って、従来の足温器では靴を履いた状態のように足と採暖面部の間に厚い素材が介在する状況においては十分な採暖効果を得られないという課題を生じていた。
【０００５】
なお、靴を履いた状態であっても採暖面部の温度を高くすることで採暖効果を得ることは不可能ではないが、裸足または薄い靴下やストッキングを着用した状態で使用する者には熱過ぎる状態となりやすく、時に低温火傷の原因にもなりかねない。
【０００６】
前記課題を解決できる発明として、特開２００５−３４２４７８号公報記載の足温器が挙げられる。該足温器は、採暖面部として堆積礫岩天然鉱石の石板が使用され、これの裏面にシリコンゴムにニクロム線の線状回路をラミネートにて一体成型した面状ヒーター部を取り付けた構造としている。
【０００７】
この発明に係る足温器では、面状ヒーターによって最大面部である堆積礫岩天然鉱石の石板が暖められ、採暖面部に載せた足に熱伝導によって熱が伝わることはもちろん、暖められた堆積礫岩天然鉱石の石板から放射される赤外線（特に遠赤外線）によっても熱が伝えられる。赤外線（特に遠赤外線）は比較的波長が長い為に散乱しにくく、足と赤外線の放射面との間に物体が介在しても一部が透過して足を暖める作用が得られるからである。なお、金属箔の様に赤外線が透過できない物質も存在するが、靴や衣類に使用されることはまれであり通常は問題にならない。
【０００８】
しかしながら、堆積礫岩天然鉱石の石板のような赤外線を放射し易い材料からなる採暖面部は熱容量が大きなり、一旦温まれば前記の様な効果を奏するものの、温まるのに長時間を要する、つまり足温器としての起動が遅いという課題がある。
【特許文献１】特開２００５−３４２４７８号公報
【考案の開示】
【考案が解決しようとする課題】
【０００９】
以上の通り、本考案が解決しようとする課題は、簡単な構成で熱容量の大きな採暖面部を有しつつ比較的短時間で温まる、起動の早い足温器を提供することである。また、このような足温器に適した採暖面部を提供することも本考案の解決しようとする課題としている。
【課題を解決するための手段】
【００１０】
前記課題を解決する為、本考案においては、採暖面部と、該採暖面部の裏面に面状ヒーターを備える足温器において、該採暖面部は遠赤外線の放射性を有する材料を含んでおり、該面状ヒーターはＰＴＣヒーターであることを特徴とする足温器としている。
【００１１】
また、前記最暖面部には天然石板、または、セラミック板で構成した足温器としている。採暖面部すべてを同一の材料で構成する必要は必ずしも無いものの、少なくとも採暖面部の一部に前記材料を使用することが好ましい。
【考案の効果】
【００１２】
本考案においては、採暖面部の裏面に面状のＰＴＣヒーターを使用したので、熱容量の大きい採暖面部を速やかに暖め、足温器としての機能を発揮させることができる。つまり、起動の早い足温器を実現できる。ここにＰＴＣヒーターとは、通電することで発熱する抵抗体に、抵抗値の温度係数が正である半導体を使用したヒーターである。
【００１３】
ＰＴＣヒーターに通電する場合、通常は一定電圧（例えば１００Ｖ）を加えるのであるが、採暖面部が冷たい間はＰＴＣヒーターの抵抗値が低い為に発熱量が多く急速に温度が上昇する。ところが、採暖面部が温まるとＰＴＣヒーターの抵抗値が高くなるために発熱量が減少し、温度が安定することになる。つまり、ＰＴＣヒーターには温度を一定値に自己制御する作用がある為に、熱容量の大きい採暖面部を有する足温器への使用に適するのである。
【００１４】
なお、前記のような作用を得るためには採暖面部とＰＴＣヒーターが熱的によく結合している必要がある。通常採暖面部は平面形状とするから、ＰＴＣヒーターは採暖面部の裏面に密着配置できるよう、面状のヒーターであることが好ましい。
【００１５】
ところで、採暖面部に遠赤外線の放射性に富む材料を使用することが好ましい。遠赤外線の放射性に乏しい採暖面部であっても、採暖面部に載せた足に熱伝導によって熱は伝わるものの、採暖面部と足の間に靴や厚手の靴下等の物体が介在すると十分な効果を得られないからである。採暖面部に遠赤外線の放射性に富む材料を使用することで、放射された赤外線の一部が足と採暖面部間に介在する物質を透過して直接的に足を暖める作用を得られるのである。
【００１６】
ここで採暖面部には天然石板、例えば天照石の様に、遠赤外線を発するとされる岩石製の石板を使用することが好ましい。遠赤外線の放射性に富む材料で採暖面部を構成することで前記の効果が得られるからである。また、石板は熱容量が大きいものの、前記のとおりＰＴＣヒーターを使用することで比較的短時間に適温に温まる為に大きな問題は生じない。
【００１７】
また、採暖面部にはセラミック板を使用することもできる。セラミック板は前記と同様の理由より、遠赤外線の放射性に富むものを使用することはいうまでも無いことである。近年、遠赤外線の放射性に富むセラミック板が各種製造されており、しかも天然石板と比較して非常に安価であることから、同じ効果を有する足温器をより低コストで製造できるという利点がある。
【考案を実施するための最良の形態】
【００１８】
以下、本考案に係る足温器の一実施例を図面を用いて説明する。
【実施例１】
【００１９】
図１は本考案に係る足温器の１実施例を説明する説明図であり、図２はこれの構造をさらに詳細に説明する為の断面図である。両図で符号は共通である。
【００２０】
上面には採暖面部１が設けられている。本実施例では最暖面部１は、遠赤外線の放射性に優れたセラミック板が使用されている。採暖面部１の裏面には、ＰＴＣヒーター４を設けてている。ＰＴＣヒーター４は自己制御温度が約６５℃であるものを使用しており、採暖面部１を速やかに足温器として適当な温度に暖め、かつその温度を保つことができる。ＰＴＣヒーター４のさらに下面には断熱材５を設けている。足温器は通常は足を採暖面部１に載せて使用するのであるから、ＰＴＣヒーター４の発生する熱は採暖面部１を加熱する為に消費されるべきであり、床側に逃げる熱は無駄になってしまう。そこで、断熱材５を設けることで、床側に熱を逃げにくくしているのである。
【００２１】
本実施例では、底板６を設けて採暖面部１、ＰＴＣヒーター４、断熱材５を保持しており、最暖面部１上に人が立つなどして大きな荷重が生じてもこれら部材が折れ曲がったりすることを防いでいる。また、底板６にはゴム足３を設けて足温器をがたつかずに安定して使用できるようにしている。また外枠２により外周部の保護を図っている。
【００２２】
以上のような構成とすることで、本考案に係る足温器は比較的短時間で遠赤外線の放射性に優れた採暖面部が適当な温度に温まり、すでに説明したとおり優れた効果を奏する。また、上に立つなどしても破壊されない堅固さがあるため、事務作業時を始め、接客業などにおいても使用が容易な、足温器として非常に実用性が高いものとなる。
【産業上の利用可能性】
【００２３】
以上説明したとおり、本考案に係る足温器は比較的短時間で起動が可能であり、直接的な熱伝導に加え遠赤外線の放射により直接的に足を暖める優れた効果を奏するものである。
【図面の簡単な説明】
【００２４】
【図１】本考案に係る足温器の一実施例を示した説明図である。
【図２】本考案に係る足温器の一実施例を説明する断面図である。
【符号の説明】
【００２５】
１    採暖面部
２    外枠
３    ゴム足
４    ＰＴＣヒーター
５    断熱材
６    底板
【図１】
0003125048.tif 000003
【図２】
0003125048.tif 000004